(57)【要約】【課題】室内機の筐体内におけるガイド部が占めるスペースを省スペース化することを目的とする。【解決手段】室内機１は、内部空間Ｓの上方を規定する天井パネル８を有する筐体２と、室内熱交換器１７と、クロスフローファン１８と、エアフィルタ１５と、エアフィルタ１５を移動させるギア部と、エアフィルタ１５を清掃する第１ブラシ部３１と、エアフィルタ１５の移動経路を規定するガイド部４０と、を備えている。天井パネル８は、出口開口１０を有する。ギア部は、エアフィルタ１５の一端から他端までエアフィルタ１５を移動可能である。ガイド部４０は、エアフィルタ１５の通常時にエアフィルタ１５が配置される第１ガイド部４１と、ギア部と出口開口１０とを接続する第２ガイド部４２と、を有している。第２ガイド部４２は、第１ガイド部４１よりも室内熱交換器１７から離れて配置されている。第２ガイド部４２の長さは、エアフィルタ１５よりも短い。【選択図】図２
2020143857.tif 000002
【特許請求の範囲】
【請求項１】
内部に空間が形成され、前記空間の上方を規定する天井部を有する筐体と、
前記空間に設けられる熱交換器と、
前記空間に設けられ、前記天井部に設けられた吸込み口から空気を導入し、導入した空気を前記熱交換器へ供給するファンと、
前記吸込み口と、前記熱交換器との間に設けられるフィルタと、
前記フィルタと係合し、前記フィルタを移動させる移動装置と、
前記移動装置によって移動する前記フィルタと接触し、前記フィルタを清掃する清掃部と、
前記移動装置によって移動する前記フィルタの移動経路を規定するガイド部と、を備え、
前記天井部には、前記空間と前記筐体の外部空間とを連通し、前記フィルタの移動方向の一端が挿通可能な出口開口が形成されていて、
前記移動装置は、前記フィルタの前記一端が係合する状態から、前記フィルタの他端が係合する状態まで前記フィルタを移動可能であって、
前記ガイド部は、前記フィルタの前記一端が前記移動装置に係合時に前記フィルタが配置される第１ガイド部と、前記移動装置と前記出口開口とを接続していて前記フィルタの前記他端が前記移動装置に係合時に前記フィルタが配置される第２ガイド部と、を有し、
前記第２ガイド部は、前記第１ガイド部よりも前記熱交換器から離れて配置され、
前記第２ガイド部の長さは、前記フィルタの前記一端から前記他端までの長さよりも短い空気調和機の室内機。
【請求項２】
前記フィルタの移動経路は、重複部分がない単一の経路である請求項１に記載の空気調和機の室内機。
【請求項３】
前記フィルタは、前記他端が前記移動装置と係合した状態において、前記一端側の一部が前記筐体から外部へ突出し、
前記筐体から突出する前記フィルタの一部は、前記筐体を下方から見た際に、前記筐体に遮られて視認できない領域に位置している請求項１または請求項２に記載の空気調和機の室内機。
【請求項４】
前記筐体は、前記空間の前方を規定するパネル部を有し、
前記パネル部は、パネル駆動部によって、上方へ移動可能とされている請求項１から請求項３のいずれかに記載の空気調和機の室内機。
【発明の詳細な説明】
【技術分野】
【０００１】
本発明は、空気調和機の室内機に関するものである。
【背景技術】
【０００２】
空気調和機の室内機は、筐体の内部に設けられる熱交換器へ空気を供給している。空気には、埃等が含まれている。このため、空気を筐体内に導入することで、筐体内には空気とともに埃等が侵入する。筐体内に侵入した埃等は、筐体内の熱交換器等に堆積又は付着し、汚れやカビの発生の原因となる。このような事態を抑制するために、空気調和機の室内機には、外気の導入口と熱交換器との間に、埃を捕捉するフィルタを設けている。
【０００３】
フィルタは、継続的に埃を捕捉するため、空気調和機の運転に伴って、目詰まりが進行する。目詰まりが進行すると、フィルタを通過する風量が減少し、熱交換器へ供給される空気も減少する。このため、熱交換器の熱交換効率が悪化してしまう。このような問題を解消するために、フィルタを清掃する機能を備えた室内機が知られている（例えば、特許文献１）。
【０００４】
特許文献１には、複数個の送りギヤと、これら送りギヤ間に設けられる塵埃押上げブラシと、を有するエアフィルタ清掃装置を備えた室内機が開示されている。この室内機では、エアフィルタ清掃運転が選択されると、エアフィルタに付着していた塵埃が除去され、清掃された状態でエアフィルタ案内口を挿通し、エアフィルタの略半分が室内機本体の上面部から上方へ突出する。
【先行技術文献】
【特許文献】
【０００５】
【特許文献１】特開２０１１−１７４９８号公報
【発明の概要】
【発明が解決しようとする課題】
【０００６】
しかしながら、特許文献１の室内機では、エアフィルタを保持する第１のガイド路と、室内機本体上面部に設けられる開口部を介して室内機本体上面部の上方部位に至る経路である第２のガイド路と、が交差している。
【０００７】
フィルタの移動経路に交差する部分がある場合には、交差部分を通過したフィルタの前端が、フィルタの後端が交差部分を通過する前（すなわち、フィルタの全体が交差部分を通過する前）に、再度交差部分に至る場合には、フィルタの前端と、フィルタのうち交差部分に位置する部分とが干渉し、フィルタが移動できなくなってしまう。このため、特許文献１の室内機のように、フィルタの移動経路に交差する部分がある場合には、交差部分においてフィルタ同士が干渉しないように、交差部分から再度交差部分に至るまでの経路を、フィルタの全長よりも長くする必要がある。したがって、フィルタの移動経路が長くなってしまう可能性がある。フィルタの移動経路が長くなると、フィルタの移動経路を規定するガイド部が大型化し、筐体内におけるガイド部が占めるスペースを増大する。ガイド部が占めるスペースが増大すると、他の部品のためのスペースが狭小化するなど、構造的な制約を招く可能性があり、ひいては、室内機の大型化を招く可能性があった。
【０００８】
特に、近年、熱交換器の熱交換効率を向上させるために、熱交換器が大型化している。熱交換器が大型化することで、熱交換器を覆うフィルタの長さも長くなる。このため、特許文献１の装置において、熱交換器を大型化した場合には、フィルタ同士の干渉を防止するために、交差部分から再度交差部分に至るまでの経路をかなり長く設ける必要がある。このため、フィルタの移動経路を規定するガイド部の大型化がより顕著となってしまう可能性がある。
【０００９】
本発明は、このような事情に鑑みてなされたものであって、室内機の筐体内におけるガイド部が占めるスペースを省スペース化することができる空気調和機の室内機を提供することを目的とする。
【課題を解決するための手段】
【００１０】
上記課題を解決するために、本発明の空気調和機の室内機は以下の手段を採用する。
本発明の一態様に係る空気調和機の室内機は、内部に空間が形成され、前記空間の上方を規定する天井部を有する筐体と、前記空間に設けられる熱交換器と、前記空間に設けられ、前記天井部に設けられた吸込み口から空気を導入し、導入した空気を前記熱交換器へ供給するファンと、前記吸込み口と、前記熱交換器との間に設けられるフィルタと、前記フィルタと係合し、前記フィルタを移動させる移動装置と、前記移動装置によって移動する前記フィルタと接触し、前記フィルタを清掃する清掃部と、前記移動装置によって移動する前記フィルタの移動経路を規定するガイド部と、を備え、前記天井部には、前記空間と前記筐体の外部空間とを連通し、前記フィルタの移動方向の一端が挿通可能な出口開口が形成されていて、前記移動装置は、前記フィルタの前記一端が係合する状態から、前記フィルタの他端が係合する状態まで前記フィルタを移動可能であって、前記ガイド部は、前記フィルタの前記一端が前記移動装置に係合時に前記フィルタが配置される第１ガイド部と、前記移動装置と前記出口開口とを接続していて前記フィルタの前記他端が前記移動装置に係合時に前記フィルタが配置される第２ガイド部と、を有し、前記第２ガイド部は、前記第１ガイド部よりも前記熱交換器から離れて配置され、前記第２ガイド部の長さは、前記フィルタの前記一端から前記他端までの長さよりも短い。
【００１１】
上記構成では、フィルタを移動させる移動装置と、移動装置によって移動するフィルタと接触しフィルタを清掃する清掃部と、を備えている。これにより、フィルタを清掃することができる。
【００１２】
上記構成では、移動装置と出口開口とを接続する第２ガイド部の長さが、フィルタの一端から他端までの長さよりも短い。これにより、フィルタの他端が移動装置と係合した際に、フィルタの一端が出口開口を介して筐体の外部空間へ突出する。このように、フィルタの一端を突出可能とすることで、フィルタの他端が移動装置と係合した際にフィルタの全体が筐体内に収容される構成と比較して、筐体内部におけるフィルタの移動経路を短くすることができる。したがって、筐体内におけるフィルタの移動経路を規定するガイド部を小型化することができるので、筐体内におけるガイド部が占めるスペースを省スペース化することができる。よって、筐体を小型化することができる。
【００１３】
フィルタの移動経路に交差する部分がある場合には、交差部分を通過したフィルタの前端が、フィルタの後端が交差部分を通過する前（すなわち、フィルタの全体が交差部分を通過する前）に、再度交差部分に至る場合には、フィルタの前端と、フィルタのうち交差部分に位置する部分とが干渉し、フィルタが移動できなくなってしまう。このため、フィルタの移動経路に交差する部分がある場合には、交差部分においてフィルタ同士が干渉しないように、交差部分から再度交差部分に至るまでの経路を、フィルタの全長よりも長くする必要がある。したがって、フィルタの移動経路が長くなってしまう。
上記構成では、天井部に設けられた出口開口と移動装置とを接続する第２ガイド部が、第１ガイド部よりも熱交換器から離れて配置されている。これにより、第１ガイド部と第２ガイド部とが交差しない構成とすることができる。これにより、フィルタの移動経路に交差する部分がある場合と比較して、フィルタの移動経路を短くすることができる。よって、筐体内におけるガイド部が占めるスペースを省スペース化することができる。
また、交差する部分を設ける構成と比較して、ガイド部の構成を簡素化することができる。
【００１４】
また、第１ガイド部が第２ガイド部よりも熱交換器側に配置されている。これにより、例えば、空気調和機の通常運転時（すなわち、フィルタが熱交換器への異物を捕捉する機能を発揮する状態）に、第１ガイド部にフィルタが配置される場合には、フィルタと熱交換器との距離が近くなるので、確実に異物を捕捉することができる。また、フィルタと熱交換器との距離が近くなるので、フィルタを小型化することができる。
【００１５】
また、本発明の一態様に係る空気調和機の室内機は、前記フィルタの移動経路は、重複部分がない単一の経路であってもよい。
【００１６】
フィルタの移動経路に重複部分がある場合には、交差部分と同様に、重複部分においてフィルタ同士が干渉しない構成とする必要がある。したがって、重複部分から再度重複部分に至るまでの経路を、フィルタの全長よりも長くする必要がある。したがって、フィルタの移動経路が長くなってしまう。
上記構成では、フィルタの移動経路が、重複部分がない単一の経路である。フィルタの移動経路に重複部分がある場合と比較して、フィルタの移動経路を短くすることができる。よって、筐体内におけるガイド部が占めるスペースを省スペース化することができる。
また、重複部分を設ける構成と比較して、ガイド部の構成を簡素化することができる。
【００１７】
また、本発明の一態様に係る空気調和機の室内機は、前記フィルタは、前記他端が前記移動装置と係合した状態において、前記一端側の一部が前記筐体から外部へ突出し、前記筐体から突出する前記フィルタの一部は、前記筐体を下方から見た際に、前記筐体に遮られて視認できない領域に位置していてもよい。
【００１８】
上記構成では、筐体から突出するフィルタの一部は、筐体を下方から見た際に、筐体に遮られて視認できない領域に位置している。これにより、筐体から突出するフィルタは、ユーザから視認できない。したがって、美観を向上させることができる。
【００１９】
また、本発明の一態様に係る空気調和機の室内機は、前記筐体は、前記空間の前方を規定するパネル部を有し、前記パネル部は、パネル駆動部によって、上方へ移動可能とされていてもよい。
【００２０】
上記構成では、筐体の前方を規定するパネル部が上方へ移動可能とされている。これにより、パネル部が上方に移動することで、室内のユーザから天井部から突出するフィルタを見え難くすることができる。したがって、美観を向上させることができる。
【発明の効果】
【００２１】
本発明によれば、室内機の筐体内におけるガイド部が占めるスペースを省スペース化することができる。
【図面の簡単な説明】
【００２２】
【図１】本発明の一実施形態に係る空気調和装置の室内機を示した斜視図である。
【図２】図１のＩＩ−ＩＩ矢視断面図である。
【図３】図１のＩＩ−ＩＩ矢視断面図であって、フィルタ清掃時を示している。
【図４】図１の室内機のフィルタの突出領域を説明する模式的な側面図である。
【図５】図１の室内機のフィルタの突出領域を説明する模式的な側面図である。
【発明を実施するための形態】
【００２３】
以下に、本発明に係る空気調和機の室内機の一実施形態について、図面を参照して説明する。
図１には、本発明の一実施形態に係る空気調和機１００の室内機１の斜視図、図２には、室内機１の縦断面図が示されている。なお、本実施形態においては、壁掛け型の室内機に適用した例について説明するが、室内機の型式については、壁掛け型に限定されるものではなく、他型式の室内機にも適用できることは勿論である。
【００２４】
本実施形態では、据付時に水平方向となる方向（室内機１の長手方向）を左右方向とし、据付時に上下方向となる方向を単に上下方向とし、これら左右方向及び上下方向に直交する方向を前後方向とする。なお、据付時に手前側となるのが前後方向の前側である。
【００２５】
図１に示すように、室内機１は、横長の直方体形状とされた筐体２を備えている。図２に示すように、筐体２は、内部に内部空間Ｓを形成している。この筐体２は、筐体２の背面側を構成するベース３と、ベース３の前面側に被せられている前面パネル４と、前面パネル４の前面開口部５を覆っているインレットパネル６と、前面パネル４の前面と下面間に配設されている吹出しグリル７と、内部空間Ｓの上方を規定する天井パネル（天井部）８等によって構成されている。天井パネル８は、略水平に延在している。
【００２６】
ベース３には、後述するクロスフローファン（ファン）１８から吹出される空気の吹出し流路２０Ａを形成する空気流路壁９等が一体に成形されている。天井パネル８には、吸込み口１２が形成されている。また、天井パネル８には、前後方向の中央よりも前方側に、エアフィルタ１５が挿通可能な出口開口１０が形成されている。インレットパネル６は、図示省略の電動モータ（パネル駆動部）からの駆動力によって、上下方向へ移動可能に設置されている。インレットパネル６の下方部には、開口１３が設けられている。また、前面パネル４の前面と下面間に配設されている吹出しグリル７には、吹出口１４が開口されている。
【００２７】
筐体２の内部には、エアフィルタ（フィルタ）１５が配設されており、その下流側の通風路２０中には、プレートフィンチューブ形の室内熱交換器（熱交換器）１７が配設されている。エアフィルタ１５の詳細については後述する。室内熱交換器１７は、図２に示されているように、前面側に配置される第１熱交換器１７Ａと、背面側に配置される第２熱交換器１７Ｂとに分割され、更に前面側の第１熱交換器１７Ａは、下方部がくの字状に折り曲げられた形状とされている。第１熱交換器１７Ａの上端と第２熱交換器１７Ｂの上端とは、ブラケット２４によって接続されている。第１熱交換器１７Ａは、３つのパネル状の熱交換器からなり、各熱交換器が、正面視した際に重なるように配置されている。また、第１熱交換器１７Ａは、２つのパネル状の熱交換器からなり、各熱交換器が、正面視した際に重なるように配置されている。
【００２８】
複数に分割又は折り曲げられた室内熱交換器１７は、筐体２内の前面下部から上面及び背面側にかけて、断面が逆Ｖ字状となるように配設されている。つまり、室内熱交換器１７の前面側に配置された第１熱交換器１７Ａと、背面側に配置された第２熱交換器１７Ｂとは、それぞれの上端部同士が互いに近接するとともに、下部側に行くにつれてその間隔が漸次広くなるように配設された、逆Ｖ字状配置とされている。
【００２９】
また、室内熱交換器１７は、内部に冷媒が流通し所定方向（室内機１の長手方向）に延びる複数のチューブ１７Ｃと、チューブ１７Ｃの延在方向と直交するように設けられた板状の複数のフィン１７Ｄと、を有する。
【００３０】
室内熱交換器１７の下流側の通風路２０中には、細長い円筒形状とされたクロスフローファン１８が中心軸線（水平軸）周りに回転自在に配設されている。クロスフローファン１８は、ファンモータ（図示省略）からの駆動力によって回転することで、吸込み口１２等から内部空間Ｓに空気を導入（図１の矢印Ａ１）するとともに、導入した空気を室内熱交換器１７へ供給する。
【００３１】
クロスフローファン１８の下流側前方には、吹出しグリル７と一体成形されたスタビライザ１９が配設されている。スタビライザ１９とベース３に成形されている空気流路壁９とによって、吹出口１４に至る吹出し流路２０Ａが形成されている。室内熱交換器１７で熱交換を終えた空気は、吹出し流路２０Ａを介して吹出口１４から筐体２の外部へ排出される（図１の矢印Ａ２）。
【００３２】
吹出しグリル７には、室内熱交換器１７を構成している第１熱交換器１７Ａから流下するドレン水を受けるドレンパン２１が、スタビライザ１９とともに一体に成形されている。また、吹出しグリル７には、吹出口１４から吹出される温調風の風向を左右方向に調整する複数枚の縦ルーバ２２が回動可能に配設されるとともに、温調風の風向を上下方向に調整する水平フラップ２３が回動可能に配設されている。
【００３３】
次に、本実施形態に係るエアフィルタ１５及び清掃装置３０等について詳細に説明する。なお、以下の説明において、「通常状態」とは、室内機１が、清掃装置３０によってエアフィルタ１５を清掃する運転（以下、「清掃運転」という。）を行っている状態以外の状態を意味する。
【００３４】
エアフィルタ１５は、通常状態において、開口１３と、室内熱交換器１７との間に設けられ、室内熱交換器１７を上方から覆うように設けられている。詳細には、エアフィルタ１５は、通常状態において、天井パネル８の下方であって、かつ、室内熱交換器１７の上方に設けられている。エアフィルタ１５は、室内熱交換器１７の左右方向（室内機１の長手方向）の略全域を覆っている。エアフィルタ１５の後部は、通常状態において、天井パネル８の後端部に近接するとともに、天井パネル８に沿っている。また、エアフィルタ１５の前部は、第１熱交換器１７Ａに沿って設けられている。すなわち、エアフィルタ１５の前部は、通常状態において、下方へ向かうように湾曲している。
【００３５】
エアフィルタ１５は、左右方向（室内機１の長手方向）の両端部の上面（通常状態における上面）から上方へ突出する複数のフィルタギア２６と、左右方向の中央領域に設けられる捕捉部（図示省略）と、を有する。
【００３６】
複数のフィルタギア２６は、エアフィルタ１５の前後方向（移動方向）の略全域に、略等間隔で並んで設けられている。複数のフィルタギア２６は、後述する清掃装置３０のギア部と係合するように構成されている。
捕捉部は、空気の通過を許容するとともに、空気に含まれる埃等は捕捉する直系のフィルタ孔（図示省略）複数形成されるシート状の部材である。
【００３７】
また、室内機１は、エアフィルタ１５を清掃する清掃装置３０と、エアフィルタ１５の移動経路を規定するガイド部４０と、を備えている。
【００３８】
清掃装置３０は、内部空間Ｓに配置されている。また、清掃装置３０は、室内熱交換器１７の前方に設けられている。詳細には、第１熱交換器１７Ａの折り曲げ部分の前方に設けられている。清掃装置３０は、左右方向の両端部に設けられる２つの図示省略のギア部（移動装置）と、ギア部を回転駆動する清掃部モータ（図示省略）と、左右方向の中央領域に設けられる第１ブラシ部（清掃部）３１と、第１ブラシ部３１と対向して設けられる第２ブラシ部３２と、第１ブラシ部３１及び第２ブラシ部３２が捕集した埃等の排出先であるダストボックス３３と、を備えている。第２ブラシ部３２及びダストボックス３３は、第１ブラシ部３１の上方に設けられている。
【００３９】
各ギア部は、清掃部モータからの駆動力によって、左右方向に延びる中心軸線を中心として回転する。各ギア部は、フィルタギア２６と係合するように構成されている。各ギアは、通常状態において、複数のフィルタギア２６部のうち、最も前方に配置されているフィルタギア２６と係合している。
【００４０】
第１ブラシ部３１は、左右方向に延びる円柱部材の外周面に複数の繊維状部材からなるブラシ（図示省略）が設けられている。第１ブラシ部３１は、ブラシがエアフィルタ１５の捕捉部と接触することで、捕捉部が捕捉している埃等を捕捉部からかき取る。換言すれば、埃が付着し易い捕捉部の上面（通常状態における上面）とブラシとが接触し、捕捉部の上面に付着した埃等をブラシが掬い取る。
【００４１】
第２ブラシ部３２は、左右方向に延びる中心軸線を中心として回転し、放射状に延びる複数の繊維状部材からなるブラシ（図示省略）によって、第１ブラシ部３１がかき取った埃等を捕集する。すなわち、第２ブラシ部３２は、例えば櫛のように第１ブラシ部３１のブラシに付着した埃等を捕集する。第２ブラシ部３２は、捕集した埃等をダストボックス３３へと払い出す。
【００４２】
なお、清掃装置３０の構成は、上記説明の構成に限定されない。例えば、第２ブラシ部３２を設けなくてもよい。この構成では、第１ブラシ部３１のブラシが、捕捉部からかき取った埃等を、直接ダストボックス３３へ払い出す。また、例えば、第２ブラシ部３２及びダストボックス３３を、第１ブラシ部３１の下方に設けてもよい。この構成では、第１ブラシ部３１は、捕捉部と接触することで、捕捉部が捕捉した埃等を下方へ押し出す。そして、第２ブラシ部３２は、第１ブラシ部３１によって押し出された埃等をダストボックス３３へ払い出す。
【００４３】
ガイド部４０は、通常時にエアフィルタ１５を保持する第１ガイド部４１と、天井パネル８とに形成された出口開口１０と清掃装置３０のギア部とを接続する第２ガイド部４２と、を有し、清掃装置３０によって移動されるエアフィルタ１５の移動経路を規定している。
【００４４】
第１ガイド部４１は、エアフィルタ１５の左端に設けられたフィルタギア２６を案内する左ガイド部と、エアフィルタ１５の右端に設けられたフィルタギア２６を案内する右ガイド部と、を有する。左ガイド部と右ガイド部とは左右方向に離間して配置されている。左ガイド部と右ガイド部の離間距離は、捕捉部の左右方向の長さと略同一となっている。すなわち、左ガイド部及び右ガイド部は、捕捉部へ向かう空気を遮断しないように設けられている。左ガイド部と、右ガイド部とは、略同一の構成であるので、以下の説明では、第１ガイド部４１として、まとめて説明する。すなわち、以下の第１ガイド部４１の説明は、左ガイド部及び右ガイド部の両方に当てはまる。
【００４５】
第１ガイド部４１は、略平行に離間した２本のレールによって構成されており、２本のレールの間に形成された空間内にエアフィルタ１５のフィルタギア２６を配することで、フィルタギア２６を保持可能とされている。第１ガイド部４１は、天井パネル８の下方であって、かつ、室内熱交換器１７の上方に設けられている。第１ガイド部４１の後部は、天井パネル８の後端部に近接するとともに、天井パネル８に沿うように設けられている。また、第１ガイド部４１の前部は、第１熱交換器１７Ａに沿って設けられている。すなわち、第１ガイド部４１の前部は、通常状態において、下方へ向かうように湾曲している。
【００４６】
第１ガイド部４１の前端は、清掃装置３０のギア部の後方であって、かつ、ギア部の後端部の近傍に設けられている。また、第１ガイド部４１の前端部は、ギア部の接線方向に沿うように延在している。また、第１ガイド部４１の延在方向の長さは、エアフィルタ１５の前後方向の長さ（移動方向における一端から他端までの長さ）と略同一となっている。通常状態において、エアフィルタ１５は、第１ガイド部４１に保持されている。
【００４７】
第２ガイド部４２は、第１ガイド部４１と同様に、エアフィルタ１５の左端に設けられたフィルタギア２６を案内する左ガイド部と、エアフィルタ１５の右端に設けられたフィルタギア２６を案内する右ガイド部と、を有する。左ガイド部と右ガイド部とは左右方向に離間して配置されている。左ガイド部と右ガイド部の離間距離は、捕捉部の左右方向の長さと略同一となっている。左ガイド部と、右ガイド部とは、略同一の構成であるので、以下の説明では、第２ガイド部４２として、まとめて説明する。
【００４８】
第２ガイド部４２は、略平行に離間した２本のレールによって構成されており、２本のレールの間に形成された空間内にエアフィルタ１５のフィルタギア２６を配することで、フィルタギア２６を保持可能とされている。第２ガイド部４２は、下端がギア部の前方であって、かつ、ギア部の前端部の近傍に設けられている。第２ガイド部４２の下端部は、ギア部の接線方向に沿うように延在している。第２ガイド部４２は、下端から上方へ延びるとともに、上方へ向かうほど後方へ向かうように湾曲している。第２ガイド部４２の上端は、天井部に形成された出口開口１０に接続されている。第２ガイド部４２の延在方向の長さは、エアフィルタ１５の前後方向の長さ（移動方向における一端から他端までの長さ）よりも短くなっている。詳細には、第２ガイド部４２の延在方向の長さは、エアフィルタ１５の前後方向の長さの略半分となっている。
【００４９】
また、第２ガイド部４２は、第１ガイド部４１よりも室内熱交換器１７から離れて配置されている。すなわち、第１ガイド部４１は、第２ガイド部４２と室内熱交換器１７との間に設けられている。また、第１ガイド部４１と第２ガイド部４２とは交差していない。また、第１ガイド部４１と第２ガイド部４２とは、離間して設けられており、各々独自に構成されている。すなわち、第１ガイド部４１と第２ガイド部４２とは重複部分を有していない。
【００５０】
次に、本実施形態における清掃装置３０の作用について説明する。
上述したように、通常状態において、エアフィルタ１５は、第１ガイド部４１に配置されているとともに、最も前方（移動方向の前方）に配置されたフィルタギア２６が清掃装置３０のギア部と係合している。
【００５１】
清掃運転を開始すると、まず、清掃部モータを駆動させる。清掃部モータが駆動すると、清掃部モータの駆動力によってギア部が回転する。また、ギア部が回転すると同時に、第２ブラシ部３２の回転も開始させる。ギア部の回転方向は、ギア部の下半分が後方から前方へ向かう方向となっている。ギア部が回転することで、エアフィルタ１５が移動する。エアフィルタ１５の前端は、当初ギア部の円弧に沿って所定の角度分だけ移動する。このとき、清掃装置３０の第１ブラシ部３１とエアフィルタ１５の捕捉部とが接触することで、埃等が捕捉部からかき出される。かき出された埃等は、第２ブラシ部３２によって捕集され、その後ダストボックス３３へと払い出される。このように、エアフィルタ１５の捕捉部から埃等が除去される。
【００５２】
エアフィルタ１５の前端は、ギア部の円弧に沿って所定の角度だけ回転すると、第２ガイド部４２の下端から、第２ガイド部４２内に入り込む。第２ガイド部４２内に入り込んだエアフィルタ１５の前端は、第２ガイド部４２によって、出口開口１０まで案内される。出口開口１０まで案内されたエアフィルタ１５の前端は、出口開口１０を挿通し、図３に示すように、筐体２の外部へ突出する。なお、筐体２の外部には、エアフィルタ１５を案内する部材は設けられていない。後方（移動方向の後方）に配置されたフィルタギア２６が、清掃装置３０のギア部の前端部分と係合すると、清掃部モータを停止する。なお、後方に配置されたフィルタギア２６とは、最も後方のフィルタギア２６から所定個数分前方に配置されたフィルタギア２６のことである。
【００５３】
このとき、図４に示すように、エアフィルタ１５の略半分が筐体２の外部へ突出した状態となる。この筐体２の外部へ突出したエアフィルタ１５は、筐体２を下方から見た際に、筐体２に遮られて視認できない空間（図４のハッチングで示す空間）に収まるように突出する。詳細には、側方視した際に、筐体２の上端かつ前端を中心として、天井パネル８と、天井パネル８と角度θを為す仮想線Ｌ１と、の間に形成される空間に収まるように突出する。角度θの設定方法については後述する。
【００５４】
次に、清掃部モータを再度駆動させ、再度ギア部を回転させる。このとき、ギア部の回転方向は、先ほどまでと逆方向となっている。すなわち、ギア部の下半分が前方から後方へ向かう方向となっている。これにより、エアフィルタ１５は、先ほどまでと逆方向へ移動し、第１ガイド部４１へ向かう。なお、第１ガイド部４１に移動する際にも、清掃装置３０によってエアフィルタ１５の清掃が行われる。エアフィルタ１５が、第１ガイド部４１に保持された状態に戻ると、清掃部モータを停止させ、清掃運転を終了する。
【００５５】
清掃運転時のエアフィルタ１５の移動経路について詳細に説明する。清掃運転が開始されると、まず、エアフィルタ１５は、第１ガイド部４１に沿って前斜め下方へ移動する。清掃装置３０まで到達すると、エアフィルタ１５は、ギア部の下半分に沿ってＵターンする。すなわち、上方に向かってＵターンする。Ｕターンしたエアフィルタ１５は、第２ガイド部４２に沿って後斜め上方へ移動する。天井パネル８に形成された出口開口１０まで到達したエアフィルタ１５は、出口開口１０を通過し、筐体２の外部へ突出する。なお、エアフィルタ１５を第１ガイド部４１へ収納する際には、エアフィルタ１５は、この逆の移動を行う。
このように、本実施形態に係るエアフィルタ１５の移動経路は、交差することがない。また、重複することもない。すなわち、単一の経路となっている。
【００５６】
次に、角度θの設定方法について、図５を用いて説明する。なお、仮想線Ｌ１は、筐体２を下方から見た際に、筐体２に遮られて視認できない空間を規定する線なので、ユーザの目線と、筐体２の上端かつ前端とを直線で結んだ線及びその延長線となる。
【００５７】
通常室内機は、窓よりも上方に設けられる。一般的な窓の高さ（床面からの高さ）Ｌ２は１．８ｍである。また、一般的な室内機１の筐体２自体の高さ（上下方向の長さ）Ｌ３は、０．３ｍ程度である。したがって、室内機１の筐体２の上端の高さ（床面からの高さ）Ｌ４は、２．１ｍ程度である。ここで、一般的なユーザの平均身長Ｌ５を１．７ｍとすると、一般的なユーザの目線の高さＬ６は、１．６ｍとなる。したがって、筐体２の上端の高さＬ４と、一般的なユーザの目線の高さＬ６との差分の長さＬ７は、０．５ｍ程度となる。
以上より、角度θは、高さ０．５ｍの直角三角形における、底辺（ｘ）と斜辺（Ｌ１）とが為す角度となる。底辺の長さは、室内機１とユーザとの距離であるので、室内機１が配置される室内の奥行きｘに応じて決まる。通常壁掛け型の空気調和機１００の室内機１が設けられる部屋の奥行きｘは、２ｍ〜５ｍ程度である。奥行きｘが２ｍの場合には、角度θは１４度程度となる。したがって、角度θは、１４度以下が好適である。また、奥行きｘが５ｍの場合には、角度θは、５．７度となる。このため、角度θは５．７度以下がより好適である。
【００５８】
なお、筐体２の外部へ突出したエアフィルタ１５を、視認できない空間（図４のハッチングで示す空間）に収まるようにするために、第２パネル部と出口開口１０との接続角度を、角度θ以下としてもよい。
【００５９】
本実施形態によれば、以下の作用効果を奏する。
本実施形態では、第２ガイド部４２の長さが、エアフィルタ１５の一端から他端までの長さよりも短い。これにより、エアフィルタ１５の他端が清掃装置３０のギア部と係合した際に、エアフィルタ１５の一端が出口開口１０を介して筐体２の外部空間へ突出する。このように、エアフィルタ１５の一端を突出可能とすることで、エアフィルタ１５の他端が清掃装置３０のギア部と係合した際にエアフィルタ１５の全体が筐体２内に収容される構成と比較して、筐体２内部におけるエアフィルタ１５の移動経路を短くすることができる。したがって、筐体２内におけるエアフィルタ１５の移動経路を規定するガイド部４０を小型化することができるので、筐体２内におけるガイド部４０が占めるスペースを省スペース化することができる。よって、筐体２を小型化することができる。
【００６０】
エアフィルタ１５の移動経路に交差する部分がある場合には、交差部分を通過したエアフィルタ１５の前端が、エアフィルタ１５の後端が交差部分を通過する前に、再度交差部分に至る場合には、エアフィルタ１５の前端と、エアフィルタ１５のうち交差部分に位置する部分とが干渉し、エアフィルタ１５が移動できなくなってしまう。このため、エアフィルタ１５の移動経路に交差する部分がある場合には、交差部分においてエアフィルタ１５同士が干渉しないように、交差部分から再度交差部分に至るまでの経路を、エアフィルタ１５の全長よりも長くする必要がある。したがって、エアフィルタ１５の移動経路が長くなってしまう。
【００６１】
本実施形態では、第１ガイド部４１と第２ガイド部４２とが交差しない構成とされている。これにより、エアフィルタ１５の移動経路に交差する部分がある場合と比較して、エアフィルタ１５の移動経路を短くすることができる。よって、筐体２内におけるガイド部４０が占めるスペースを省スペース化することができる。
また、交差する部分を設ける構成と比較して、ガイド部４０の構成を簡素化することができる。
【００６２】
また、第１ガイド部４１が第２ガイド部４２よりも熱交換器側に配置されている。これにより、通常時において、エアフィルタ１５と室内熱交換器１７との距離が近くなるので、確実に異物を捕捉することができる。また、エアフィルタ１５と室内熱交換器１７との距離が近くなるので、エアフィルタ１５を小型化することができる。
【００６３】
エアフィルタ１５の移動経路に重複部分がある場合には、交差部分と同様に、重複部分においてエアフィルタ１５同士が干渉しない構成とする必要がある。したがって、重複部分から再度重複部分に至るまでの経路を、エアフィルタ１５の全長よりも長くする必要がある。したがって、エアフィルタ１５の移動経路が長くなってしまう。
本実施形態では、エアフィルタ１５の移動経路が、重複部分がない単一の経路である。エアフィルタ１５の移動経路に重複部分がある場合と比較して、エアフィルタ１５の移動経路を短くすることができる。よって、筐体２内におけるガイド部４０が占めるスペースを省スペース化することができる。
また、重複部分を設ける構成と比較して、ガイド部４０の構成を簡素化することができる。
【００６４】
本実施形態では、筐体２から突出するエアフィルタ１５の一部は、筐体２を下方から見た際に、筐体２に遮られて視認できない領域に位置している。これにより、筐体２から突出するエアフィルタ１５は、ユーザから視認できない。したがって、美観を向上させることができる。
【００６５】
本実施形態では、インレットパネル６が上方へ移動可能とされている。これにより、インレットパネル６が上方に移動することで、室内のユーザから、突出するエアフィルタ１５を見え難くすることができる。したがって、美観を向上させることができる。
【００６６】
なお、本発明は、上記実施形態に限定されるものではなく、その要旨を逸脱しない範囲において、適宜変形が可能である。
【符号の説明】
【００６７】
１      ：室内機
２      ：筐体
３      ：ベース
４      ：前面パネル
５      ：前面開口部
６      ：インレットパネル
７      ：吹出しグリル
８      ：天井パネル
９      ：空気流路壁
１０    ：出口開口
１２    ：吸込み口
１３    ：開口
１４    ：吹出口
１５    ：エアフィルタ
１７    ：室内熱交換器
１７Ａ  ：第１熱交換器
１７Ｂ  ：第２熱交換器
１７Ｃ  ：チューブ
１７Ｄ  ：フィン
１８    ：クロスフローファン
１９    ：スタビライザ
２０    ：通風路
２０Ａ  ：吹出し流路
２１    ：ドレンパン
２２    ：縦ルーバ
２３    ：水平フラップ
２４    ：ブラケット
２６    ：フィルタギア
３０    ：清掃装置
３１    ：第１ブラシ部
３２    ：第２ブラシ部
３３    ：ダストボックス
４０    ：ガイド部
４１    ：第１ガイド部
４２    ：第２ガイド部
１００  ：空気調和機
【図１】
2020143857.tif 000003
【図２】
2020143857.tif 000004
【図３】
2020143857.tif 000005
【図４】
2020143857.tif 000006
【図５】
2020143857.tif 000007